(57)【要約】【課題】  ピペットノズルを、例えばゴム栓がされている試薬容器や採血管に直接刺し込んでも該ノズルの目詰まりを防止することができ、かつ、デッドスペースをなくすることで、クロスコンタミネーションを確実に防止することができる分注ピペットを提供する。【解決手段】  試薬や検体試料などを吸引し吐出する分注ピペットのノズル下部に開口する吸引吐出孔を、上記ノズルの側部に開口し、該ノズル内の通孔と前記吸引吐出孔とは１度以上〜４４度以下の角度で連通接続され、かつ、該ノズルの下端は、刃状に形成した。【選択図】  図３
2010008080.tif 000002
【特許請求の範囲】
【請求項１】
試薬や検体試料などを吸引し吐出する分注ピペットのノズル下部に開口する吸引吐出孔を、上記ノズルの側部に開口したことを特徴とする分注ピペット。
【請求項２】
前記ノズル内の通孔と、前記吸引吐出孔とは１度以上〜４４度以下の角度で連通接続されていることを特徴とする請求項１に記載の分注ピペット。
【請求項３】
前記ノズルの下端は、刃状に形成されていることを特徴とする請求項１または請求項２のいずれかに記載の分注ピペット。
【発明の詳細な説明】
【技術分野】
【０００１】
この発明は、試薬や検体試料等の液体を吸引・吐出する分注装置の分注ピペットに係り、特に、ピペットノズルを、例えばゴム栓がされている試薬容器に直接刺し込んでも該ノズルの目詰まりを防止することができ、かつ、デッドスペースをなくすることで、クロスコンタミネーションを確実に防止することができる分注ピペットに関する。
【背景技術】
【０００２】
周知のように、液状の検体の検査には分注装置が用いられる。この分注装置では、高精度な検査を実現するために、所定量の検体や薬液を正確に分注するために、一般に容器から液体を吸引するための吸引部を有する分注ノズルが用いられ、この分注ノズルは、特許文献１等に示すようなものが用いられている。
【０００３】
【特許文献１】特開２００７−０２４７１０号公報
【発明の開示】
【発明が解決しようとする課題】
【０００４】
しかしながら、前記特許文献１に開示された分注ピペットノズルにあっては、ノズル内の通孔は、直線状に形成されているため、これを、試薬や検体の蒸発を防ぎ濃度を変動させないために被着されているゴム栓等に直接刺した場合には、目詰まりを起こしてしまい易く、また、採血管の場合には検査のたびにゴム栓を抜くことは２次感染の虞があるという問題を有していた。
【０００５】
この発明は、かかる現状に鑑み創案されたものであって、その目的とするところは、ピペットノズルを、例えばゴム栓がされている試薬容器や採血管に直接刺し込んでも該ノズルの目詰まりを防止することができ、かつ、デッドスペースをなくすることで、クロスコンタミネーションを確実に防止することができる分注ピペットを提供しようとするものである。
【課題を解決するための手段】
【０００６】
上記目的を達成するため、請求項１に記載の発明にあっては、試薬や検体試料などを吸引し吐出する分注ピペットのノズル下部に開口する吸引吐出孔を、上記ノズルの側部に開口したことを特徴とするものである。
【０００７】
また、請求項２に記載の発明にあっては、請求項１に記載の分注ピペットを技術的前提とし、前記ノズル内の通孔と、前記吸引吐出孔とは１度以上〜４４度以下の角度で連通接続されていることを特徴とする。
【０００８】
また、請求項３に記載の発明にあっては、請求項１または請求項２のいずれかに記載の分注ピペットを技術的前提とし、前記ノズルの下端は、刃状に形成されていることを特徴とする。
【発明の効果】
【０００９】
それ故、請求項１に記載の発明によれば、ピペットノズルを、例えばゴム栓がされている試薬容器や採血管に直接刺し込んでも、ノズルの吸引吐出孔がノズルの側部に開口されているので、該ノズルの目詰まりを確実に防止することができる。
【００１０】
また、請求項２に記載の発明によれば、ノズルの側部に開口されたノズルの吸引吐出孔とノズルの通孔とが、１度以上〜４４度以下の角度で連通接続されているため、デッドスペースをなくすることができ、試薬や検体試料がデッドスペースに残って次の試薬や検体試料と混合するといったクロスコンタミネーションを確実に防止することができる。
【００１１】
また、請求項３に記載の発明によれば、ピペットノズルを、例えばゴム栓がされている試薬容器や採血管に直接刺し込んでも、ノズル下端が刃状に形成されているので、小さいトルクでスムーズに刺し込むことができる。
【発明を実施するための最良の形態】
【００１２】
図１は、この発明の一実施形態例に係る分注ピペットが装着された分注装置の概略的な構成を示す説明図を、図２は同分注ピペットのノズル部を示す説明図を、図３は同ノズルの下端部を拡大して示す正面図を、図４は同ノズル下端部の右側面図を、図５は同ノズル下端部の左側面図を、それぞれ示している。
【００１３】
本実施形態例に係る分注ピペットのノズル１０は、図１に示すように、該分注ピペットを所定の位置へ移送するピペットアーム６に垂直に保持されたガイドパイプ１と、絞りパイプ４に収縮チューブう３をかけて接着されたシールドパイプ２と、上記絞りパイプ４に連通接続された上記ノズル１０と、から構成されている。尚、この分注ピペットとしての他の構成・作用・効果は従来の分注ピペットと同様であるので、その詳細な説明はここでは省略する。
【００１４】
そして、ノズル１０は、図２〜図５に示すように、その下端が略Ｖ状の刃１１に形成されているので、該ノズル１０を、例えばゴム栓がされている試薬容器や採血管（図示せず）に直接刺し込んでも、小さいトルクでスムーズに刺し込むことができる。
【００１５】
また、上記ノズル１０の吸引吐出孔１３は、ノズル１０の側部に開口されている。これにより、ノズル１０を、例えばゴム栓がされている試薬容器や採血管（図示せず）に直接刺し込んでも、該ノズル１０の目詰まりを確実に防止することができる。
【００１６】
さらに、ノズル１０の側部に開口された吸引吐出孔１３とノズル１０の通孔１２とは、１度以上〜４４度以下の角度（本実施形態例では３０度）で連通接続されている。これは、例えばＬ字状に連通接続した場合には、接続部にデッドスペースが発生するが、本実施例のように接続すれば、接続部１４にデッドスペースが発生するのを可及的に小さくすることができ、試薬や検体試料がデッドスペースに残って次の試薬や検体試料と混合するといったクロスコンタミネーションを確実に防止することができる。
【００１７】
またさらに、上記角度で吸引吐出孔１３をドリルで略く字状に穿孔する場合、該孔をＬ字状に穿孔する場合に比べ、約半分以下の力で穿孔することができ、製造が容易となるという効果も得られる。
【図面の簡単な説明】
【００１８】
【図１】この発明の一実施形態例に係る分注ピペットが装着された分注装置の概略的な構成を示す説明図である。
【図２】同分注ピペットのノズル部を示す説明図である。
【図３】同ノズルの下端部を拡大して示す正面図である。
【図４】同ノズル下端部の右側面図である。
【図５】同ノズル下端部の左側面図である。
【符号の説明】
【００１９】
１０  ノズル
１１  刃
１２  通孔
１３  ノズルの吸引吐出孔
１４  ノズルの吸引吐出孔と通孔の接続部
【図１】
2010008080.tif 000003
【図２】
2010008080.tif 000004
【図３】
2010008080.tif 000005
【図４】
2010008080.tif 000006
【図５】
2010008080.tif 000007